(57)【要約】【課題】壁面に石材を取り付ける石材取付方法において、簡単な工程で十分な接着力を発揮させつつ、かつ、接着剤の破断又は剥離による石材の落下を抑制可能な構成を提供する。【解決手段】石材取付方法は、補強部材工程と、接着剤点付け工程と、石材配置工程と、を含む。補強部材工程では、補強部材１２を壁面１０に取り付ける。接着剤点付け工程では、補強部材１２が取り付けられた位置に接着剤１４を点付けする。石材配置工程では、壁面１０に点付けされた接着剤１４を石材１５で押圧するようにして当該石材１５を配置する。補強部材１２は、ビス打込み部１２ａと、上補強部１２ｂと、下補強部１２ｃと、を備える。石材配置工程が行われた後において、上補強部１２ｂの上端の少なくとも一部と、下補強部１２ｃの下端の少なくとも一部と、を接着剤１４が覆っている。【選択図】図５
2020193463.tif 000002
【特許請求の範囲】
【請求項１】
壁面へ複数の石材を並べて取り付ける石材取付方法において、
補強部材にビスを打ち込むことで、当該補強部材を前記壁面に取り付ける補強部材取付工程と、
前記壁面のうち前記補強部材が取り付けられた位置に接着剤を点付けする接着剤点付け工程と、
前記壁面に点付けされた前記接着剤を前記石材で押圧するようにして当該石材を配置する石材配置工程と、
を含み、
前記補強部材は、
前記ビスを打ち込むためのビス打込み部と、
前記石材配置工程後において、前記ビス打込み部よりも上方に設けられており、前記壁面と前記石材の間の空間を上方向に延びるように形成された上補強部と、
前記石材配置工程後において、前記ビス打込み部よりも下方に設けられており、前記壁面と前記石材の間の空間を下方向に延びるように形成された下補強部と、
を備え、
前記石材配置工程が行われた後において、前記上補強部の上端の少なくとも一部と、前記下補強部の下端の少なくとも一部と、を前記接着剤が覆っていることを特徴とする石材取付方法。
【請求項２】
請求項１に記載の石材取付方法であって、
前記補強部材の上下方向の長さが、前記石材の上下方向の長さの半分以下であることを特徴とする石材取付方法。
【請求項３】
請求項１又は２に記載の石材取付方法であって、
前記上補強部及び前記下補強部は平板状であり、
前記ビス打込み部は、前記上補強部と前記下補強部に挟まれる位置に形成されており、前記上補強部と前記下補強部よりも、前記上補強部と前記下補強部の厚さ方向の一側に位置するように凹んだ凹み部分であることを特徴とする石材取付方法。
【請求項４】
請求項１から３までの何れか一項に記載の石材取付方法であって、
前記石材配置工程の後において、前記石材の厚さ方向で見たときに、前記補強部材及び前記接着剤の両方が、前記石材同士の境界を避けた位置に配置されていることを特徴とする石材取付方法。
【請求項５】
請求項１から４までの何れか一項に記載の石材取付方法であって、
前記補強部材の長手方向において、前記補強部材は前記石材よりも長く、
前記石材配置工程では、１つの前記補強部材に、前記長手方向に並べられた複数の前記石材が取り付けられることを特徴とする石材取付方法。
【請求項６】
請求項１から４までの何れか一項に記載の石材取付方法であって、
前記補強部材取付工程では、前記補強部材が上下方向及び左右方向に間隔を空けて並べて取り付けられ、
前記石材配置工程では、並べて配置された複数の前記補強部材に対して、１つの前記石材が取り付けられることを特徴とする石材取付方法。
【発明の詳細な説明】
【技術分野】
【０００１】
本発明は、主として、壁面へ複数の石材を並べて取り付ける石材取付方法に関する。
【背景技術】
【０００２】
特許文献１には、建築物の壁面に石材を取り付ける方法が記載されている。この石材は、石材本体と、取付金具と、を備える。初めに、石材本体と取付金具が、接着剤により固定される。その後、取付金具と壁面との間に更に接着剤を介在させつつ、取付金具にビスを打ち込むことで、石材を壁面に固定する。
【０００３】
特許文献２には、建築物に設けられた下地板に、プレート部材取付具を介して石材板を取り付ける方法が記載されている。初めに、ビスを用いて下地板にプレート部材取付具を取り付ける。次に、石材板の裏面に接着剤を付けた後に、石材板を位置を調整しつつ、石材板をプレート部材取付具及び下地板に接着する。
【先行技術文献】
【特許文献】
【０００４】
【特許文献１】特開２００６−７７４８８号公報
【特許文献２】特開２００７−１６２２２９号公報
【発明の概要】
【発明が解決しようとする課題】
【０００５】
ここで、特許文献１の方法では、予め石材本体と取付金具とを接着する工程が必要となる。更に、接着剤が壁面の全体に付けられているため、接着剤を付ける作業が作業者にとって大きな手間となる。また、特許文献２の方法では、プレート部材取付具から上方（又は下方）に延びる隙間形成片が、接着剤から上方（又は下方）に突出しているため、十分な接着力が得られない可能性があった。一方で、取付具等を介在させずに点付けした接着剤だけで接着した場合、例えば石材の熱膨張等に伴って応力が発生することで、硬化した接着剤が破断又は剥離して石材が落下する可能性があった。
【０００６】
本発明は以上の事情に鑑みてされたものであり、その主要な目的は、壁面に石材を取り付ける石材取付方法において、簡単な工程で十分な接着力を発揮させつつ、かつ、接着剤の破断又は剥離による石材の落下を抑制可能な構成を提供することにある。
【課題を解決するための手段及び効果】
【０００７】
本発明の解決しようとする課題は以上の如くであり、次にこの課題を解決するための手段とその効果を説明する。
【０００８】
本発明の観点によれば、以下の石材取付方法が提供される。石材取付方法は、壁面へ複数の石材を並べて取り付ける。この石材取付方法は、補強部材取付工程と、接着剤点付け工程と、石材配置工程と、を含む。前記補強部材取付工程では、補強部材にビスを打ち込むことで、当該補強部材を前記壁面に取り付ける。前記接着剤点付け工程では、前記壁面のうち前記補強部材が取り付けられた位置に接着剤を点付けする。前記石材配置工程では、前記壁面に点付けされた前記接着剤を前記石材で押圧するようにして当該石材を配置する。前記補強部材は、ビス打込み部と、上補強部と、下補強部と、を備える。前記ビス打込み部には、前記ビスが打ち込まれる。前記上補強部は、前記石材配置工程後において、前記ビス打込み部よりも上方に設けられており、前記壁面と前記石材の間の空間を上方向に延びるように形成される。前記下補強部は、前記石材配置工程後において、前記ビス打込み部よりも下方に設けられており、前記壁面と前記石材の間の空間を下方向に延びるように形成される。前記石材配置工程が行われた後において、前記上補強部の上端の少なくとも一部と、前記下補強部の下端の少なくとも一部と、を前記接着剤が覆っている。
【０００９】
これにより、上下の補強部を接着剤が覆っているため、高い接着力を発揮できる。更に、仮に硬化した接着剤が破断又は剥離した場合でも、補強部材によって、接着剤全体の破断又は剥離を抑制できる。また、石材側に取付具を取り付ける工程が不要であり、更に接着剤を点付けするだけで良いので（全面塗布は不要なので）、作業者の手間を軽減できる。
【００１０】
前記の石材取付方法においては、前記補強部材の上下方向の長さが、前記石材の上下方向の長さの半分以下であることが好ましい。
【００１１】
これにより、小型の補強部材を用いて石材を壁面に取り付けることができる。特に、本発明によれば接着剤の接着力を高くでき、更に石材の落下の可能性を低くできるので、大型の補強部材を用いる必要がない。
【００１２】
前記の石材取付方法においては、以下のようにすることが好ましい。即ち、前記上補強部及び前記下補強部は平板状である。前記ビス打込み部は、前記上補強部と前記下補強部に挟まれる位置に形成されており、前記上補強部と前記下補強部よりも、前記上補強部と前記下補強部の厚さ方向の一側に位置するように凹んだ凹み部分である。
【００１３】
これにより、簡単な構造で上補強部と下補強部を壁面から離すことができる。
【００１４】
前記の石材取付方法においては、前記石材配置工程の後において、前記石材の厚さ方向で見たときに、前記補強部材及び前記接着剤の両方が、前記石材同士の境界を避けた位置に配置されていることが好ましい。
【００１５】
これにより、上補強部と下補強部の両方の接着力を用いて１つの石材を接着することができる。
【００１６】
前記の石材取付方法においては、以下のようにすることが好ましい。即ち、前記補強部材の長手方向において、前記補強部材は前記石材よりも長い。前記石材配置工程では、１つの前記補強部材に、前記長手方向に並べられた複数の前記石材が取り付けられる。
【００１７】
これにより、補強部材を取り付ける手間を減らすことができる。また、長手方向のサイズが異なる石材を同じ壁面に取り付ける場合、接着剤は、石材のサイズ及びレイアウト応じた位置に（即ち、不等間隔で）付ける必要がある。しかし、石材のサイズとレイアウトを事前に決めておくことは手間になるし、事前に決めた通りに石材を配置することも手間となる。この点、上記のように長手方向に長い補強部材を用いることで、長手方向のあらゆる位置に接着剤を付けることができる。そのため、石材のサイズとレイアウトを予め定めることなく、任意の位置に接着剤を付けることができる。
【００１８】
前記の石材取付方法においては、以下のようにすることが好ましい。即ち、前記補強部材取付工程では、前記補強部材が上下方向及び左右方向に間隔を空けて並べて取り付けられる。前記石材配置工程では、並べて配置された複数の前記補強部材に対して、１つの前記石材が取り付けられる。
【００１９】
これにより、補強部材が短くて済むので、補強部材のコストを低減できる。
【図面の簡単な説明】
【００２０】
【図１】補強部材取付工程を示す斜視図。
【図２】補強部材取付工程が行われた後の状態を示す斜視図。
【図３】接着剤点付け工程が行われた後の状態を示す斜視図。
【図４】石材配置工程が行われた後の状態を示す斜視図。
【図５】石材が取り付けられた後の状態を示す断面図。
【図６】変形例に係る石材配置工程を示す斜視図。
【発明を実施するための形態】
【００２１】
次に、図面を参照して本発明の実施形態を説明する。本実施形態の石材取付方法は、建築物の外側の壁面１０に、複数の石材１５を並べて取り付ける方法である。
【００２２】
壁面１０は、コンクリート等で構成された躯体である。壁面１０の表面は、一定レベルの平坦さを有しているが、多少の凹凸が含まれていることがある。
【００２３】
石材１５は、天然又は人工の石を含んで構成されている。本実施形態の石材１５は、直方体状又は板状の部材である。なお、石材１５の形状は任意であり、例えば正面側の表面が平坦であってもよいし、平坦でなくても良い。また、壁面１０に取り付けられる複数の石材１５は、全てが同じ形状であってもよいし、複数種類の形状（例えば左右方向のサイズが異なる複数種類の形状）が含まれていてもよい。
【００２４】
以下、図１から図５を参照して、壁面１０に石材１５を並べて取り付ける方法について説明する。
【００２５】
初めに、図１に示すように、補強部材取付工程を行う。補強部材取付工程とは、補強部材１２を壁面１０に配置し、補強部材１２にビス１３を打ち込むことで、補強部材１２を壁面１０に取り付ける工程である。
【００２６】
図１では、ビス１３を壁面１０に垂直に打ち込む例が示されている。これに代えて、ビス１３を斜め下方に向けて打ち込んでもよい（言い換えれば、ビス１３の頭部が、ビス１３の先端部よりも高くなるように打ち込んでもよい）。このようにビス１３を打ち込むことで、ビス１３が抜けにくくなる。
【００２７】
補強部材１２は、石材１５を壁面１０に接着する際に接着力を向上させるための部材である。補強部材１２は、細長い金属製の平板の一部を凹ませて凹み溝を形成することで製造される。図１に示すように、補強部材１２は、左右方向が補強部材１２の長手方向と一致するように、かつ、上下方向が補強部材１２の幅方向（短手方向）と一致するように、かつ、前後方向が補強部材１２の厚さ方向と一致するように配置される。また、補強部材１２は、上下方向に並べて複数箇所にそれぞれ取り付けられる。なお、壁面１０の左右方向の長さが長い場合は、補強部材１２を左右方向に並べて取り付けてもよい。
【００２８】
補強部材１２は、ビス打込み部１２ａと、上補強部１２ｂと、下補強部１２ｃと、を備える。
【００２９】
ビス打込み部１２ａは、上述した凹み溝（凹み部分）が形成されている部分である。これにより、補強部材１２を壁面１０に取り付けたときに、上補強部１２ｂ及び下補強部１２ｃを壁面１０から離す（厚さ方向の手前側に移動させる）ことができる。
【００３０】
上補強部１２ｂは、補強部材取付工程の後において、ビス打込み部１２ａよりも上側に形成されている細長状かつ板状の部分である。下補強部１２ｃは、補強部材取付工程の後において、ビス打込み部１２ａよりも下側に形成されている細長状かつ板状の部分である。本実施形態の上補強部１２ｂ及び下補強部１２ｃは、壁面１０と平行又は略平行となるように、かつ壁面１０から離れるように位置している。また、上補強部１２ｂ及び下補強部１２ｃは、共通の仮想平面内に位置するように配置されている。この仮想平面は、ビス打込み部１２ａの底面から（厚み方向において）離れた位置にある。
【００３１】
ビス１３は、補強部材１２のうちビス打込み部１２ａ（凹み溝）に打ち込まれる。また、本実施形態では、ビス打込み部１２ａは直接的に壁面１０に接触しておらず、スペーサ１１を介して接触している。このように、ビス打込み部１２ａと壁面１０の間にスペーサ１１を配置することで、上補強部１２ｂ及び下補強部１２ｃを更に壁面１０から離すことができる。なお、スペーサ１１は省略することもできる。
【００３２】
図２には、補強部材取付工程が行われた後の様子が示されている。図２に示すように、本実施形態の補強部材１２は左右方向に細長い形状であるため、１つの補強部材１２につき複数のビス１３が取り付けられている。また、ビス１３のネジ部（軸部）は、ビス打込み部１２ａ（凹み溝）に挿入される。なお、ビス１３のヘッド部はビス打込み部１２ａから厚さ方向に突出してもよいし、ビス打込み部１２ａの凹み溝の内部に位置していてもよい。
【００３３】
補強部材取付工程の後には、接着剤点付け工程を行う。接着剤点付け工程とは、接着剤１４を壁面１０及び補強部材１２に点付けする（スポット的に付ける）工程である。
【００３４】
接着剤１４は、例えばエポキシ樹脂系の接着剤であるが、壁面１０、補強部材１２、及び石材１５を接着可能であれば任意の種類の接着剤を用いることができる。図３に示すように、接着剤１４は、補強部材１２を覆うように付けられる。具体的には、接着剤１４から補強部材１２が上下に突出しないように、接着剤１４が付けられる。これにより、接着剤１４が回り込んで補強部材１２に良く絡むので、接着力を向上させることができる。なお、接着剤１４は、ビス１３を覆っていてもよいし、覆っていなくてもよい。
【００３５】
また、本実施形態では、補強部材１２の左右方向の長さが長いので、１つの補強部材１２に対して、左右方向に所定の間隔を空けて複数箇所に接着剤１４が付けられる。特に、取り付ける石材１５の位置及び左右方向の長さに応じた箇所に、接着剤１４が付けられることが好ましい。
【００３６】
接着剤点付け工程の後には、石材配置工程を行う。石材配置工程とは、壁面１０に石材１５を配置する工程である。
【００３７】
具体的には、石材配置工程では、石材１５を壁面１０に向けて押圧しつつ、石材１５が配置される。これにより、接着剤１４と石材１５の接触面積を大きくしたり、接着剤１４の絡みを良好にしたりすることができる。本実施形態では、石材１５の端辺同士が接触するように、複数の石材１５が並べて配置される。また、石材配置工程の後に接着剤が硬化することで、石材１５が壁面１０に固定される。
【００３８】
また、本実施形態では、補強部材１２の左右方向の長さが長いので、１つの補強部材１２に対して複数の石材１５が左右方向に並べて配置される。また、石材１５の左右方向の長さに応じて１又は複数箇所に付けられた接着剤１４によって、１つの石材１５が接着される。なお、壁面１０全体への接着剤点付け工程の完了後に石材配置工程を行う必要はない。つまり、例えば壁面１０の２箇所に接着剤１４を付けた後に１つの石材１５を取り付け、次に、次の石材１５を取り付けるための接着剤１４を壁面１０に付けて石材１５を取り付けてもよい。これにより、石材１５のレイアウトを事前に定めることなく、石材１５を取り付けていくことができる。特に、本実施形態では補強部材１２の左右方向の長さが長く壁面１０の略全体に設けられているので、左右方向のあらゆる位置に接着剤１４を付けることが可能である。
【００３９】
図５には、石材配置工程が完了した後の状態が断面図で示されている。図５は、左右方向に垂直な平面（更に詳細にはビス１３の中心軸を通る平面）で切った断面図である。図５に示すように、上補強部１２ｂは、壁面１０と石材１５の間にあり、両方に接触していない。また、ビス打込み部１２ａから上側に延びるように位置している。下補強部１２ｃについても同様にビス打込み部１２ａの下側に配置されている。そして、接着剤１４は、上補強部１２ｂの上端を覆うように上端よりも更に上側に付けられており、かつ、下補強部１２ｃの下端を覆うように下端よりも更に下側に付けられている。また、図５の断面図においては、接着剤１４は、補強部材１２の全体を覆っている。
【００４０】
ここで、接着剤の硬化後において、例えば周囲の温度が高くなって石材１５が膨張することがある。その結果、接着剤１４に応力が発生し、例えば図５に示す破断面２０で接着剤１４が破断したり、壁面１０との界面で接着剤１４が剥離したりする可能性がある。しかし、本実施形態では、仮に接着剤１４に破断が発生しても、上補強部１２ｂ及び下補強部１２ｃ等が接着剤１４の内部に存在するため、接着剤１４の完全な破断を抑制できる。また、壁面１０との界面で接着剤１４の剥離が発生した場合でも、補強部材１２によって接着剤１４が保持されているため、接着剤１４の完全な隔離を抑制できる。更に、上述したように、接着剤１４が補強部材１２の各部に絡むことで、接着剤１４の接着力も向上させることができる。以上により、石材１５の落下の可能性を低くすることができる。
【００４１】
次に、図５を参照して、補強部材１２等のサイズについて説明する。以下では、石材配置工程の後の状態において、補強部材１２の上下方向の長さをＬ１とし、接着剤１４の上下方向の長さをＬ２とし、石材１５の上下方向の長さをＬ３とする。Ｌ１は例えば約２０ｍｍであり、Ｌ２は約５０ｍｍであり、Ｌ３は約１００ｍｍである。従って、Ｌ１は、Ｌ２の１／４以上であってＬ２の１／２以下である。また、Ｌ１は、Ｌ３の１／８以上であってＬ３の１／２以下（更に言えば１／４以下）である。
【００４２】
なお、図５に示すように、補強部材１２及び接着剤１４は、前後方向（壁面１０に垂直な方向）で見たときに、石材１５同士の境界と重ならない位置に配置されている。そのため、補強部材１２及び接着剤１４の全体を用いて１つの石材１５を壁面１０に固定することができる。また、上補強部１２ｂの上端を含む全体と、下補強部１２ｃの下端を含む全体とは、壁面１０と石材１５の何れにも接触しておらず、更に言えば壁面１０と石材１５の略中央に位置している。また、上補強部１２ｂ及び下補強部１２ｃは、ビス打込み部１２ａを通る水平面に対して対称となる形状である。
【００４３】
次に、図６を参照して、上記実施形態の変形例について説明する。図６は、変形例に係る石材配置工程を示す斜視図である。なお、以後の説明においては、上記実施形態と同一又は類似の部材には図面に同一の符号を付し、説明を省略する場合がある。
【００４４】
上記実施形態では、１つの補強部材１２に対して複数の石材１５が配置される。これに対し、本変形例では、例えば石材１５のサイズが大きいため、複数の補強部材１２を用いて１つの石材１５が取り付けられる。そのため、本変形例の補強部材１２は、石材１５と比較して、上下方向及び左右方向ともに小さい。
【００４５】
図６に示すように、本変形例では、補強部材１２は、石材１５の四隅（厳密には四隅よりも若干内側の部分）に相当する位置に、左右方向及び上下方向に並べて取り付けられる。補強部材１２は、左右方向の長さが短い以外は、上記実施形態と同じ構成である。
【００４６】
本変形例では、補強部材１２の左右方向の長さが短いので、接着剤点付け工程において、補強部材１２の全体を覆うように接着剤１４が付けられる。本変形例では、補強部材１２を完全に覆うように（左右方向と上下方向で補強部材１２が接着剤１４から突出しないように）接着剤１４が付けられるが、例えば補強部材１２が左右方向で突出していてもよい。その後、石材配置工程において、石材１５が配置されることで、石材１５が取り付けられる。
【００４７】
本変形例においても、補強部材１２により接着剤１４が良く絡む点や、補強部材１２により接着剤１４の破断又は剥離を抑制できる点は上記実施形態と同じである。従って、石材１５が落下する可能性が低くすることができる。
【００４８】
以上に説明したように、上記実施形態の石材取付方法は、補強部材工程と、接着剤点付け工程と、石材配置工程と、を含む。補強部材工程では、補強部材１２にビス１３を打ち込むことで、当該補強部材１２を壁面１０に取り付ける。接着剤点付け工程では、壁面１０のうち補強部材１２が取り付けられた位置に接着剤１４を点付けする。石材配置工程では、壁面１０に点付けされた接着剤１４を石材１５で押圧するようにして当該石材１５を配置する。補強部材１２は、ビス打込み部１２ａと、上補強部１２ｂと、下補強部１２ｃと、を備える。ビス打込み部１２ａには、ビスが打ち込まれる。上補強部１２ｂは、石材配置工程後において、ビス打込み部１２ａよりも上方に設けられており、壁面１０と石材１５の間の空間を上方向に延びるように形成される。下補強部１２ｃは、石材配置工程後において、ビス打込み部１２ａよりも下方に設けられており、壁面１０と石材１５の間の空間を下方向に延びるように形成される。石材配置工程が行われた後において、上補強部１２ｂの上端の少なくとも一部と、下補強部１２ｃの下端の少なくとも一部と、を接着剤１４が覆っている。
【００４９】
これにより、上下の補強部材１２を接着剤１４が覆っているため、高い接着力を発揮できる。更に、仮に硬化した接着剤１４が破断又は剥離した場合でも、補強部材１２によって、接着剤１４の全体の破断又は剥離を抑制できる。また、石材１５側に取付具を取り付ける工程が不要であり、更に接着剤１４を点付けするだけで良いので（全面塗布は不要なので）、作業者の手間を軽減できる。
【００５０】
また、上記実施形態の石材取付方法において、補強部材１２の上下方向の長さが、石材の上下方向の長さの半分以下である。
【００５１】
これにより、小型の補強部材１２を用いて石材１５を壁面１０に取り付けることができる。特に、この構成によって接着剤１４の接着力を高くでき、更に石材１５の落下の可能性を低くできるので、大型の補強部材１２を用いる必要がない。
【００５２】
また、上記実施形態の石材取付方法において、上補強部１２ｂ及び下補強部１２ｃは、細長い平板状である。上補強部１２ｂの長手方向と、下補強部１２ｃの長手方向と、は平行である。ビス打込み部１２ａは、上補強部１２ｂと下補強部１２ｃに短手方向で挟まれる位置に形成された凹み部分である。この凹み部分は、上補強部１２ｂ及び下補強部１２ｃよりも、厚さ方向（壁面１０への取付後の前後方向）の一側に位置するように凹んでいる。
【００５３】
これにより、簡単な構造で上補強部１２ｂと下補強部１２ｃを壁面１０から離すことができる。
【００５４】
た、上記実施形態の石材取付方法において、石材配置工程の後において、石材１５の厚さ方向で見たときに（正面視、視線方向が前後方向と一致したときに）、補強部材１２及び接着剤１４の両方が、石材１５同士の境界を避けた位置に配置されている。
【００５５】
これにより、上補強部１２ｂと下補強部１２ｃの両方の接着力を用いて１つの石材１５を接着することができる。
【００５６】
また、上記実施形態の石材取付方法では、補強部材１２の長手方向（左右方向）において、補強部材１２は石材１５よりも長い。石材配置工程では、１つの補強部材１２に対して、この長手方向に並べられた複数の石材１５が取り付けられる。
【００５７】
これにより、補強部材１２を取り付ける手間を減らすことができる。また、長手方向のサイズが異なる石材１５を同じ壁面１０に取り付ける場合、接着剤１４は、石材１５のサイズ及びレイアウト応じた位置に（即ち、不等間隔で）付ける必要がある。しかし、石材１５のサイズとレイアウトを事前に決めておくことは手間になるし、事前に決めた通りに石材１５を配置することも手間となる。この点、上記のように長手方向に長い補強部材１２を用いることで、長手方向のあらゆる位置に接着剤１４を付けることができる。そのため、石材１５のサイズとレイアウトを予め定めることなく、任意の位置に接着剤１４を付けることができる。
【００５８】
また、上記変形例の石材取付方法において、補強部材工程では、補強部材１２が上下方向及び左右方向に間隔を空けて並べて取り付けられる。石材配置工程では、並べて配置された複数の補強部材１２に対して、１つの石材１５が取り付けられる。
【００５９】
これにより、補強部材１２が短くて済むので、補強部材１２のコストを低減できる。
【００６０】
以上に本発明の好適な実施の形態を説明したが、上記の構成は例えば以下のように変更することができる。
【００６１】
上記実施形態では、躯体に直接的に石材１５が取り付けられるが、躯体に下地板等を固定し、この下地板等に石材１５が取り付けられてもよい。この場合、下地板の表面が壁面１０に相当する。また、壁面１０は、建物の外壁であるが、内壁であってもよい。
【００６２】
上記実施形態では、接着剤点付け工程において、不等間隔で接着剤１４が付けられると説明したが、例えば石材１５の左右方向のサイズが一定である場合は、等間隔で接着剤１４を付けてもよい。
【００６３】
上記実施形態及び変形例に示す補強部材１２の形状、並べ方、取り付ける向きは一例であり、適宜変更可能である。また、接着剤１４を付ける位置や範囲についても適宜変更可能である。
【符号の説明】
【００６４】
１０  壁面
１１  スペーサ
１２  補強部材
１２ａ  ビス打込み部
１２ｂ  上補強部
１２ｃ  下補強部
１３  ビス
１４  接着剤
１５  石材
２０  破断面
【図１】
2020193463.tif 000003
【図２】
2020193463.tif 000004
【図３】
2020193463.tif 000005
【図４】
2020193463.tif 000006
【図５】
2020193463.tif 000007
【図６】
2020193463.tif 000008
【手続補正書】
【提出日】令和1年10月11日(2019.10.11)
【手続補正１】
【補正対象書類名】特許請求の範囲
【補正対象項目名】請求項１
【補正方法】変更
【補正の内容】
【請求項１】
壁面へ複数の石材を並べて取り付ける石材取付方法において、
補強部材にビスを打ち込むことで、当該補強部材を前記壁面に取り付ける補強部材取付工程と、
前記壁面のうち前記補強部材が取り付けられた位置に接着剤を点付けする接着剤点付け工程と、
前記壁面に点付けされた前記接着剤を前記石材で押圧するようにして当該石材を配置する石材配置工程と、
を含み、
前記補強部材は、
前記ビスを打ち込むためのビス打込み部と、
前記石材配置工程後において、前記ビス打込み部よりも上方に設けられており、前記壁面と前記石材の間の空間を上方向に延びるように形成された上補強部と、
前記石材配置工程後において、前記ビス打込み部よりも下方に設けられており、前記壁面と前記石材の間の空間を下方向に延びるように形成された下補強部と、
を備え、
前記石材配置工程が行われた後において、
前記接着剤は前記壁面と前記石材の両方に接触することで当該壁面と当該石材を固定しており、
前記上補強部の上端よりも上方と、前記上補強部よりも前記壁面側及び前記石材側と、に前記接着剤が位置するようにして、前記上補強部の少なくとも上端の一部を前記壁面側と前記石材側で前記接着剤が覆っており、
前記下補強部の下端よりも下方と、前記下補強部よりも前記壁面側及び前記石材側と、に前記接着剤が位置するようにして、前記下補強部の少なくとも下端の一部を前記壁面側と前記石材側で前記接着剤が覆っていることを特徴とする石材取付方法。
【手続補正２】
【補正対象書類名】明細書
【補正対象項目名】０００８
【補正方法】変更
【補正の内容】
【０００８】
本発明の観点によれば、以下の石材取付方法が提供される。石材取付方法は、壁面へ複数の石材を並べて取り付ける。この石材取付方法は、補強部材取付工程と、接着剤点付け工程と、石材配置工程と、を含む。前記補強部材取付工程では、補強部材にビスを打ち込むことで、当該補強部材を前記壁面に取り付ける。前記接着剤点付け工程では、前記壁面のうち前記補強部材が取り付けられた位置に接着剤を点付けする。前記石材配置工程では、前記壁面に点付けされた前記接着剤を前記石材で押圧するようにして当該石材を配置する。前記補強部材は、ビス打込み部と、上補強部と、下補強部と、を備える。前記ビス打込み部には、前記ビスが打ち込まれる。前記上補強部は、前記石材配置工程後において、前記ビス打込み部よりも上方に設けられており、前記壁面と前記石材の間の空間を上方向に延びるように形成される。前記下補強部は、前記石材配置工程後において、前記ビス打込み部よりも下方に設けられており、前記壁面と前記石材の間の空間を下方向に延びるように形成される。前記石材配置工程が行われた後において、前記接着剤は前記壁面と前記石材の両方に接触することで当該壁面と当該石材を固定しており、前記上補強部の上端よりも上方と、前記上補強部よりも前記壁面側及び前記石材側と、に前記接着剤が位置するようにして、前記上補強部の少なくとも上端の一部を前記壁面側と前記石材側で前記接着剤が覆っており、前記下補強部の下端よりも下方と、前記下補強部よりも前記壁面側及び前記石材側と、に前記接着剤が位置するようにして、前記下補強部の少なくとも下端の一部を前記壁面側と前記石材側で前記接着剤が覆っている。